(57)【特許請求の範囲】
【請求項１】
管理対象施設に関する図面レイヤーを備えたＣＡＤファイルの複数を、サーバーコンピュータの管理図面データベース部に設け、前記サーバーコンピュータと通信自在なクライアントコンピュータを設け、前記クライアントコンピュータのブラウザ又はＣＡＤビューアを介しての前記サーバーコンピュータへのデータ要求に伴って、そのデータ要求に該当するＣＡＤデータを前記クライアントコンピュータに送信自在な送信手段を前記サーバーコンピュータに設けてある施設情報管理システムであって、
前記クライアントコンピュータからのデータ要求を満たすための図面レイヤーを、前記各ＣＡＤファイルの各図面レイヤーを対象として割り出すレイヤー選択手段を設け、前記レイヤー選択手段によって割り出された各図面レイヤーを、一つの送信用ＣＡＤファイルにまとめて前記送信手段に引き渡すレイヤーまとめ手段を前記サーバーコンピュータに設けてある施設情報管理システム。
【請求項２】
前記クライアントコンピュータ側で編集された前記送信用ＣＡＤファイルを、前記サーバーコンピュータ上に書き戻し自在なデータ更新手段を設けてある請求項１に記載の施設情報管理システム。
【請求項３】
前記レイヤーまとめ手段は、各図面レイヤーを分離状態を維持したまま一つの前記送信用ＣＡＤファイルにまとめるものである請求項１又は２に記載の施設情報管理システム。
【請求項４】
前記サーバーコンピュータには、施設管理別に作成された複数のＣＡＤファイルを備えた施設総合図面データベース部を設けてあると共に、前記各ＣＡＤファイル間で重複する図面レイヤーを除去して前記管理図面データベース部に重複の無いレイヤー構成のＣＡＤファイルとして書き込むファイル再成手段を設けてある請求項１〜３の何れか一項に記載の施設情報管理システム。
【発明の詳細な説明】
【０００１】
【発明の属する技術分野】
本発明は、管理対象施設に関する図面レイヤーを備えたＣＡＤファイルの複数を、サーバーコンピュータの管理図面データベース部に設け、前記サーバーコンピュータと通信自在なクライアントコンピュータを設け、前記クライアントコンピュータのブラウザ又はＣＡＤビューアを介しての前記サーバーコンピュータへのデータ要求に伴って、そのデータ要求に該当するＣＡＤデータを前記クライアントコンピュータに送信自在な送信手段を前記サーバーコンピュータに設けてある施設情報管理システムに関する。
【０００２】
【従来の技術】
従来、この種の施設情報管理システムとしては、図７に示すように、前記クライアントコンピュータ５からのデータ要求を満たすためのＣＡＤファイル６を管理図面データベース部Ｂ２ａから割り出して前記送信手段Ａ１に引き渡すべくサーバーコンピュータ４が構成されていた。
【０００３】
【発明が解決しようとする課題】
ＣＡＤファイルには、一つの施設を対象にする場合でも、例えば、構造図面ＣＡＤファイルや設備図面ＣＡＤファイル、意匠図面ＣＡＤファイル等、複数のファイルが存在するのが一般的である。そして、各ＣＡＤファイルには、多数のレイヤーを備えている。
具体的には、構造図面ＣＡＤファイルには設計平面図レイヤー、ＲＣ柱レイヤー、ＲＣ壁レイヤー、ＲＣ梁レイヤー等の他、多数のレイヤーが作成されており、設備図面ＣＡＤファイルには、設計平面図レイヤー、家具レイヤー、便所ブースレイヤー、衛生器具レイヤー等の他、多数のレイヤーが作成されており、意匠図面ＣＡＤファイルには設計平面図レイヤー、外壁タイルレイヤー、ＲＣ壁レイヤー、窓レイヤー等の他、多数のレイヤーが作成されている。そして、ＣＡＤファイルをコンピュータに読み込めば、そのファイル内に形成してあるレイヤーに限って、表示非表示の表示状態を個別に切り替えて、例えば、設計平面図レイヤーと、家具レイヤーとを重ねて一緒に表示し、施設内の家具配置状況を確認すると言ったことができる。
【０００４】
上述した従来の施設情報管理システムによれば、前記クライアントコンピュータからサーバーコンピュータへのデータ要求に対しては、ＣＡＤファイルを一つの単位としてクライアントコンピュータへ引き渡すべく構成されているから、クライアントコンピュータ側では、複数のＣＡＤファイルに跨って複数のレイヤー情報を表示させたい場合は、複数のＣＡＤファイルをサーバーコンピュータからダウンロードする必要があった。しかし、それぞれのＣＡＤファイルには前述の通り多くのレイヤーが含められているから、ファイルサイズも大きくなりがちで、それらＣＡＤファイルの複数をダウンロードするには時間が掛かるから、データ受信の効率がわるく、しかも、クライアントコンピュータ側でのデータ占有容量も大きくなるから、使用感として重くなるという問題点が挙げられていた。
更には、クライアントコンピュータ側に取り込んだ複数のＣＡＤファイルから、各別に選択したレイヤー同士を重ねて見るためには、それぞれのＣＡＤファイルを合成した上で、各レイヤーを各別に表示非表示の切替ができる状態に操作する必要があり、取り込んでからの処理に手間が掛かると言う問題点もあった。
【０００５】
従って、本発明の目的は、上記問題点を解消し、サーバーコンピュータ側ではクライアントコンピュータからのデータ要求に対して迅速にデータ送信ができ、且つ、クライアントコンピュータ側では要求したデータを効率よく表示できる施設情報管理システムを提供するところにある。
【０００６】
【課題を解決するための手段】
請求項１の発明の特徴構成は、図２に例示するごとく、管理対象施設Ｆに関する図面レイヤー７を備えたＣＡＤファイル６の複数を、サーバーコンピュータ４の管理図面データベース部Ｂ２ａに設け、前記サーバーコンピュータ４と通信自在なクライアントコンピュータ５を設け、前記クライアントコンピュータ５のブラウザ５Ａ又はＣＡＤビューア５Ｂを介しての前記サーバーコンピュータ４へのデータ要求に伴って、そのデータ要求に該当するＣＡＤデータを前記クライアントコンピュータ５に送信自在な送信手段Ａ１を前記サーバーコンピュータ４に設けてある施設情報管理システムにおいて、前記クライアントコンピュータ５からのデータ要求を満たすための図面レイヤー７を、前記各ＣＡＤファイル６の各図面レイヤー７を対象として割り出すレイヤー選択手段Ａ３ａを設け、前記レイヤー選択手段Ａ３ａによって割り出された各図面レイヤー７を、一つの送信用ＣＡＤファイル８にまとめて前記送信手段Ａ１に引き渡すレイヤーまとめ手段Ａ３ｂを前記サーバーコンピュータ４に設けてあるところにある。
【０００７】
請求項１の発明の特徴構成によれば、前記クライアントコンピュータからのデータ要求に対して、前記レイヤー選択手段によってデータ要求を満たすための図面レイヤーを、前記各ＣＡＤファイルの各図面レイヤーを対象として割り出すと共に、前記レイヤーまとめ手段によって、前記レイヤー選択手段が割り出した各図面レイヤーを、一つの送信用ＣＡＤファイルにまとめて前記送信手段に引き渡すことができ、前記サーバーコンピュータからクライアントコンピュータへのデータ送信を、必要な図面をコンパクトにまとめた状態で実施できるようになる。その結果、送信用ＣＡＤファイルの容量を、従来のものより小さくすることができ、サーバーコンピュータからのデータ送信を迅速に実施することが可能となる。しかも、ファイルサイズが小さくなることで、クライアントコンピュータでの使用感も軽くすることができる。
更には、データ要求を満たす各図面レイヤーは、一つの送信用ＣＡＤファイルにまとめられているから、クライアントコンピュータ側では合成する等の手間を掛けずに、そのまま表示することができ、要求したデータを効率よく表示できるようになる。また、このような作用は、特にコンピュータ設備の拡張を図らなくても実現することが可能である。
以上のように、クライアントコンピュータからの図面の要求に対するレスポンスが向上することで、施設管理業務全体とした効率の向上を図ることが可能となる。
【０００８】
請求項２の発明の特徴構成は、図２に例示するごとく、前記クライアントコンピュータ５側で編集された前記送信用ＣＡＤファイル８を、前記サーバーコンピュータ４上に書き戻し自在なデータ更新手段Ａ１ａを設けてあるところにある。
【０００９】
請求項２の発明の特徴構成によれば、請求項１の発明による作用効果を叶えることができるのに加えて、クライアントコンピュータ側での図面編集の結果を、前記データ更新手段によって、サーバーコンピュータのデータベースに反映することが可能となり、施設管理図面を常に新しい内容に維持するが可能となる。
しかも、クライアントコンピュータからサーバーコンピュータへの編集済みファイルの送信にあたっても、従来のように、大きなファイルを複数取り扱うのに比べて、効率よく短時間に実施することができ、業務遂行の効率向上を図ることが可能となる。
【００１０】
請求項３の発明の特徴構成は、図２に例示するごとく、前記レイヤーまとめ手段Ａ３ｂは、各図面レイヤー７を分離状態を維持したまま一つの前記送信用ＣＡＤファイル８にまとめるものであるところにある。
【００１１】
請求項３の発明の特徴構成によれば、請求項１又は２の発明による作用効果を叶えることができるのに加えて、クライアントコンピュータで各図面レイヤーを別々に表示したり非表示としたり、又は、別々に編集したりすることが可能となり、ＣＡＤファイル本来の利便性を維持し、より使い易くすることが可能となる。
【００１２】
請求項４の発明の特徴構成は、図２に例示するごとく、前記サーバーコンピュータ４には、施設管理別に作成された複数のＣＡＤファイル６Ａを備えた施設総合図面データベース部Ｂ２を設けてあると共に、前記各ＣＡＤファイル６Ａ間で重複する図面レイヤー７を除去して前記管理図面データベース部Ｂ２ａに重複の無いレイヤー構成のＣＡＤファイル６Ｂとして書き込むファイル再成手段Ａ４を設けてあるところにある。
【００１３】
請求項４の発明の特徴構成によれば、請求項１〜３の何れかの発明による作用効果を叶えることができるのに加えて、クライアントコンピュータとの間でやり取りされるＣＡＤファイルは、前記ファイル再成手段によってレイヤーどうしの重複が無いように構成されており、ファイル容量を必要最小限度に保つことができる。また、レイヤーどうしの重複がないから、レイヤーの編集を行った際に、その結果更新を一つのファイルのみに行えばよく、データ更新の混乱を未然に防止することができる。
通常、施設の建設時に作成されるＣＡＤファイルは、各担当別に並行して作成される関係上、それぞれのＣＡＤファイル中には、重複したレイヤーが数多く存在していることが多い。例えば、設計平面図レイヤーは、殆どのＣＡＤファイル中に存在している。従って、それらの重複するレイヤーの内の一つに変更を加えると、重複する他のレイヤーを含んだ各ＣＡＤファイルを、開いて、該当するレイヤーの変更を行う必要があり、これを怠るとデータの整合性がとれなくなってしまい、以後の図面参照に混乱を招く結果となり兼ねない。本発明の特徴構成によれば、このような危険性を一掃することができ、より効率よく、より精度の高い施設情報の管理を行うことが可能となる。
【００１４】
尚、上述のように、図面との対照を便利にするために符号を記したが、該記入により本発明は添付図面の構成に限定されるものではない。
【００１５】
【発明の実施の形態】
以下に本発明の実施の形態を図面に基づいて説明する。尚、図面において従来例と同一の符号で表示した部分は、同一又は相当の部分を示している。
【００１６】
図１は、本発明の施設情報管理システムの一実施形態（以後、単に施設情報管理システムＳと言う）についてその概念図を示すものである。
情報の管理は、建物１そのものや、その中に設置された設備２や備品３や消耗品（不図示）や敷地（不図示）等の管理対象施設（以後、単に施設という）Ｆ、及び、スケジュールやコスト等を対象として実施され、施設、及び、環境を経営的視点から総合的に企画・管理・活用する経営管理活動（所謂、ファシリティマネジメント）に利用されるものである。
【００１７】
前記施設情報管理システムＳは、施設Ｆに関する各種情報が納められたＷｅｂサーバー（サーバーコンピュータの一例）４と、そのＷｅｂサーバー４とデータ送受信自在に形成された複数のクライアントコンピュータ５とを備えて構成してある。
【００１８】
前記Ｗｅｂサーバー４は、図２に示すように、前記複数のクライアントコンピュータ５からのデータ要求によって各種情報を提供すべく構成されたアプリケーション群Ａと、施設Ｆの各種情報を格納してあるデータ群Ｂとを備えて構成してある。
また、前記クライアントコンピュータ５には、前記Ｗｅｂサーバー４とのデータ送受信によって各種データを表示するためのＷｅｂブラウザ（ブラウザに相当）５Ａ、及び、ＣＡＤビューア５Ｂ（ＣＡＤデータの編集を実施する必要のあるクライアントコンピュータ５には、更に編集用のＣＡＤ）等のアプリケーションがインストールされている。
【００１９】
前記データ群Ｂは、前記施設Ｆに関する情報が納められた情報データベース部Ｂ１と、施設管理別に作成された複数のＣＡＤファイル６を備えた施設総合図面データベース部Ｂ２と、施設総合図面データベース部Ｂ２と前記情報データベース部Ｂ１との情報に対応した画像データや文章データや表計算データ等のアプリケーションデータが納められたデータ格納部Ｂ３とを備えて構成してある。
尚、施設建設の際に作成された構造図面や設備図面や意匠図面等の各ＣＡＤファイル６Ａは、各ファイル間には、例えば、基本平面図等の図面レイヤー７は、重複した状態で保存されており、一つ一つのファイルサイズは、相当に大きなものとなっている（図３参照）。これにより、各ＣＡＤファイルへのアクセススピードの低下を招く危険性があり、ファイルサイズを最小限にとどめてアクセス性の緩和を図るため、本実施形態においては、アプリケーション群Ａに備えたファイル再成プログラム（ファイル再成手段に相当）Ａ４によって、前記各ＣＡＤファイル６Ａ間で重複する図面レイヤーを除去して重複の無いレイヤー構成の新たなＣＡＤファイル６Ｂを作成して、前記施設総合図面データベース部Ｂ２内の管理図面データベース部Ｂ２ａに保存してあり、一般的な施設管理時には、この管理図面データベース部Ｂ２ａにアクセスするように構成してある。
【００２０】
また、前記アプリケーション群Ａには、図２に示すように、上述のファイル再成プログラムＡ４の他、Ｗｅｂサーバーとしての機能（クライアントコンピュータとのデータ送受信や、クライアントコンピュータからのデータ要求に応じて、必要なデータを検索して返信する機能）や、他のアプリケーションを制御する機能を有するメインアプリケーション（送信手段に相当）Ａ１と、メインアプリケーションＡ１からの命令を受けて情報データベース部Ｂ１から該当データを検索してメインアプリケーションＡ１に引き渡すためのデータベースアプリケーションＡ２と、メインアプリケーションＡ１からの命令を受けて前記管理図面データベース部Ｂ２ａのＣＡＤファイル６Ｂの中から、要求図形に相当する図面レイヤー７を割り出して、割り出した各図面レイヤー７を、一つの送信用ＣＡＤファイル８にまとめてメインアプリケーションＡ１に引き渡すためのＣＡＤデータコントロールアプリケーションＡ３とを備えて構成してある。
前記ＣＡＤデータコントロールアプリケーションＡ３の内、ＣＡＤファイル６の中から要求図形に相当する図面レイヤー７を割り出す機能部分をレイヤー選択手段Ａ３ａと言い、割り出した各図面レイヤー７を、一つの送信用ＣＡＤファイル８にまとめてメインアプリケーションＡ１に引き渡す機能部分をレイヤーまとめ手段Ａ３ｂと言う。
ここで、前記管理図面データベース部Ｂ２ａについての構成を説明する。
管理図面データベース部Ｂ２ａには、図３に示すように、管理対象施設Ｆを表す複数のＣＡＤファイル６Ｂが保存してあり、これら各ＣＡＤファイル６Ｂに備えた各図面レイヤー７間には、重複がないように構成されている。
そして、クライアントコンピュータ５から、例えば、「コンセント図」と言うリクエストがあった場合は、前記レイヤー選択手段Ａ３ａによってこの「コンセント図」に関連する図面レイヤーとして、該当個所の平面図レイヤー７ａと、コンセント配置図レイヤー７ｂとを各ＣＡＤファイル６Ｂ内から選択し、それらの図面レイヤーを、前記レイヤーまとめ手段Ａ３ｂによってレイヤー状態を維持したまま一つの送信用ＣＡＤファイル８としてまとめて、クライアントコンピュータ５に送信することが実施される。
また、アプリケーション群Ａには、前記レイヤーまとめ手段Ａ３ｂにってまとめられた各図面レイヤー７の元の所在を保存しておき、前記送信用ＣＡＤファイル８が、クライアントコンピュータ５で編集された場合、下記戻し操作によって各図面レイヤー７の元のＣＡＤファイル６Ｂにその編集結果が反映されるように処理するデータ更新プログラム（データ更新手段に相当）Ａ１ａが、メインアプリケーションＡ１に設けられている（図２参照）。
【００２１】
次に、各構成の機能について、詳細に説明する。
Ｗｅｂブラウザ５Ａは、情報データベース部Ｂ１の内容表示を、前記メインアプリケーションＡ１に要求したり、要求によって供給された内容を画面上に表示したり、クライアントコンピュータ５に付属のプリンタで印刷したり、記憶領域に保存することができる機能を有する。
【００２２】
ＣＡＤビューア５Ｂは、メインアプリケーションＡ１から送られたＣＡＤデータを画面に表示したり、送られたＣＡＤデータの中の個別図形を選択して表示したり、送られたＣＡＤデータの対象施設に関連した前記情報データベース部Ｂ１・管理図面データベース部Ｂ２ａの施設情報を、前記メインアプリケーションＡ１に要求したり、表示された図形上で指定範囲を設定して数量積算したり、ＣＡＤファイル６や前記送信用ＣＡＤファイル８のダウンロードをメインアプリケーションＡ１に要求したり、ダウンロードしたＣＡＤデータに編集をして、その結果をメインアプリケーションＡ１にアップロードする機能を有する。
因みに、画面上には、例えば、図４に示すように、「建具」や、「家具」や、「防災」等の選択ボタンを用意してあり、それらをクリックすると、Ｗｅｂサーバー４にそのリクエストが出され、Ｗｅｂサーバー４では該当する要求図面に関連する図面レイヤーが選択されると共に一つの送信用ＣＡＤファイル８としてまとめられてクライアントコンピュータ５に送られてくる。
【００２３】
メインアプリケーションＡ１は、クライアントコンピュータ５からの要求に応じて、データ群Ｂに問い合わせ（データベースアプリケーションＡ２やＣＡＤデータコントロールアプリケーションＡ３を介して問い合わせする場合もある）をしたり、問い合わせによって得られた情報をクライアントコンピュータ５に送信したりする機能（送信手段に相当）、及び、クライアントコンピュータ５によって編集更新された前記施設Ｆに関する情報や前記ＣＡＤデータ・前記アプリケーションデータを受け取って前記データ群Ｂの該当する個所に保存したりする機能（データ更新手段に相当）を有する。
【００２４】
データベースアプリケーションＡ２は、メインアプリケーションＡ１からの命令を受けて情報データベース部Ｂ１から該当するものを検索抽出し、必要に応じて並べ替えをした状態でメインアプリケーションＡ１に引き渡す機能を有する。
【００２５】
ＣＡＤデータコントロールアプリケーションＡ３は、メインアプリケーションＡ１の命令を受けて管理図面データベース部Ｂ２ａからＣＡＤデータを読み込み、要求図形のクローズアップ処理や、ハイライト処理や着色処理、要求図形に関連した図面レイヤー７を選択する選択処理（レイヤー選択手段）等を行った後、それらの図面レイヤー７を一つの送信用ＣＡＤファイル８にまとめてメインアプリケーションＡ１に引き渡す機能（レイヤーまとめ手段）を有する。
【００２６】
ファイル再成プログラムＡ４は、施設総合図面データベース部Ｂ２内に保存してある各ＣＡＤファイル６Ａから重複する図面レイヤーを除去して重複の無いレイヤー構成のＣＡＤファイル６Ｂを作成し、前記施設総合図面データベース部Ｂ２内の前記管理図面データベース部Ｂ２ａに保存する機能（ファイル再成）を有する。
【００２７】
情報データベース部Ｂ１は、施設Ｆに関する情報、例えば、施設Ｆを構成する各構成の名称や種類、仕様、設置場所、該当するＣＡＤデータへのリンク情報等がデータベースの状態で蓄積されており、メインアプリケーションＡ１の要求に応じて各情報を提供したり、メインアプリケーションＡ１からの更新情報を受けて該当する情報を更新保存する等の機能を有する。
【００２８】
施設総合図面データベース部Ｂ２は、施設Ｆに係わるＣＡＤファイル６を蓄積してある。ＣＡＤファイル６には、施設の建設当時に各目的別に作成されたＣＡＤファイル６Ａと、前記ファイル再成プログラムＡ４によって、各ＣＡＤファイル６Ａ間で重複する図面レイヤーを除去して重複の無いレイヤー構成としたＣＡＤファイル６Ｂとがあり、後者のＣＡＤファイル６Ｂは、施設総合図面データベース部Ｂ２内の管理図面データベース部Ｂ２ａに保存してある。
即ち、管理図面データベース部Ｂ２ａは、施設Ｆの維持管理を進めてゆくのに適した状態に加工されたＣＡＤファイル６Ｂを集積し、高品質の施設管理を効率よく実施していけるように構成されている。
【００２９】
データ格納部Ｂ３は、上述のように、アプリケーションデータが蓄積してあり、前記メインアプリケーションＡ１の要求に応じて各データを提供したり、メインアプリケーションＡ１からの情報を更新保存する等の機能を有する。
【００３０】
本実施形態の施設情報管理システムＳによれば、Ｗｅｂサーバー４において重複しない最小限の図面レイヤー７によって管理図面データベース部Ｂ２ａの各ＣＡＤファイル６Ｂが構成されているから、クライアントコンピュータ５からＷｅｂサーバー４への取り合わせに対して、データ検索も最小限の時間で実施でき、スピーディーなレスポンスを確保することが可能となる。更には、Ｗｅｂサーバー４から前記クライアントコンピュータ５へ送られる送信用ＣＡＤファイル８は、クライアントコンピュータ５からのデータ要求を満たすための図面レイヤーのみを抽出してまとめたものであるから、ファイルサイズを、従来のものより小さくすることができ、Ｗｅｂサーバー４からのデータ送信を迅速に実施することが可能となる。しかも、ファイルサイズが小さくなることで、クライアントコンピュータでの使用感も軽くすることができる。
また、データ要求を満たす各図面レイヤー７は、一つの送信用ＣＡＤファイル８にまとめられているから、クライアントコンピュータ５側では合成する等の手間を掛けずに、そのまま表示することができ、要求したデータを効率よく表示でき、施設管理業務全体とした効率の向上を図ることが可能となる。
【００３１】
〔別実施形態〕
以下に他の実施の形態を説明する。
【００３２】
〈１〉  施設情報管理システムとしては、先の実施形態では、Ｗｅｂサーバー４と、そのＷｅｂサーバー４とデータ送受信自在に形成された複数のクライアントコンピュータ５とを備えて構成した施設情報管理システムＳを説明したが、Ｗｅｂサーバー４とクライアントコンピュータ５とを一台づつ備えた構成であってもよい。また、図５に示すように、Ｗｅｂサーバー４とクライアントコンピュータ５とからなるシステムを複数備えて、夫々をデータ送受信自在にリンクさせて複数の管理対象施設Ｆを管理自在な統合的な施設情報管理システムＳを構築することも可能である。
サーバーコンピュータ４とクライアントコンピュータ５との通信は、専用の通信路を構成したり、インターネットを利用したり、周知の通信手段を採用することができる。
管理対象施設Ｆとサーバーコンピュータ４とクライアントコンピュータ５との位置関係に関しては、先の実施形態で説明したように、管理対象施設Ｆとサーバーコンピュータ４とが同じ位置に設けてあるものに限らず、例えば、管理対象施設Ｆとサーバーコンピュータ４とクライアントコンピュータ５とが別々の位置に設けてあったり、図６に示すように、管理対象施設Ｆとクライアントコンピュータ５とが同じ位置に設けてあるものであってもよい。
〈２〉  前記アプリケーション群Ａは、先の実施形態で説明したように、前記メインアプリケーションＡ１と、データベースアプリケーションＡ２と、ＣＡＤデータコントロールアプリケーションＡ３と、ファイル再成プログラムＡ４とを備えたものに限るものではなく、例えば、メインアプリケーションＡ１と、レイヤー選択手段Ａ３ａとレイヤーまとめ手段Ａ３ｂのみを備えたものや、それに加えて、データ更新手段Ａ１ａや、データベースアプリケーションＡ２や、ファイル再成手段Ａ４の何れかを備えたものであってもよい。
〈３〉  前記ＣＡＤビューア５Ｂは、クライアントコンピュータ５内で、前記ブラウザ５Ａのプラグインとしてインストールされているもの以外に、ＣＡＤビューア５Ｂ単独でインストールされているものであってもよく、更には、編集機能を備えたものであってもよく、それらを含めてＣＡＤビューアと総称する。
【図面の簡単な説明】
【図１】施設情報管理システムを示す概念図
【図２】施設情報管理システムのブロック図
【図３】ＣＡＤデータの処理状況を説明するブロック図
【図４】クライアントコンピュータの表示画面を示す説明図
【図５】別実施形態の施設情報管理システムを示す概念図
【図６】別実施形態の施設情報管理システムを示す概念図
【図７】従来の施設情報管理システムを示す概念図
【符号の説明】
４      サーバーコンピュータ
５      クライアントコンピュータ
５Ａ    ブラウザ
５Ｂ    ＣＡＤビューア
６      ＣＡＤファイル
６Ａ    ＣＡＤファイル
６Ｂ    ＣＡＤファイル
７      図面レイヤー
８      送信用ＣＡＤファイル
Ａ１    送信手段
Ａ１ａ  データ更新手段
Ａ３ａ  レイヤー選択手段
Ａ３ｂ  レイヤーまとめ手段
Ａ４    ファイル再成手段
Ｂ２    施設総合図面データベース部
Ｂ２ａ  管理図面データベース部
Ｆ      管理対象施設
【図１】
0003883467.tif 000002
【図２】
0003883467.tif 000003
【図３】
0003883467.tif 000004
【図４】
0003883467.tif 000005
【図５】
0003883467.tif 000006
【図６】
0003883467.tif 000007
【図７】
0003883467.tif 000008